(57)【要約】【課題】個人情報の保護と不正閲覧の防止とを実現する。【解決手段】コンテンツ配信装置１００は、コンテンツ提供装置１０２および端末１０４と通信するインターフェース１１６と、コンテンツ提供装置１０２から送信されたオリジナルデータ、配信用データおよび作成用データを記憶する記憶部１１４と、インターフェース１１６および記憶部１１４を制御する制御部１１２とを含む。制御部１１２は、第１の要求データに基づいて作成した第２の要求データを、コンテンツ提供装置１０２に送信するようにインターフェース１１６を制御する回路と、コンテンツ提供装置１０２を特定する情報が、作成用データに基づいて変更されるように配信用データを作成する作成部１３６と、端末１０４に配信用データを送信するようにインターフェース１１６を制御する回路とを含む。【選択図】　　　　図１
2004139168.tif 000002
【特許請求の範囲】
【請求項１】
端末および情報提供装置と通信するための通信手段と、
前記情報提供装置から送信されたオリジナル情報、前記オリジナル情報に基づいて作成された配信用情報および前記配信用情報を作成するために必要な作成用データを記憶するための記憶手段と、
前記通信手段および前記記憶手段を制御するための制御手段とを含み、
前記制御手段は、
前記通信手段を介して前記端末から受信した第１の要求データに基づいて作成した第２の要求データを、前記情報提供装置に送信するように前記通信手段を制御するための手段と、
前記通信手段を介して前記情報提供装置から受信したオリジナル情報に含まれる、前記情報提供装置を特定する情報が、前記作成用データに基づいて変更された情報を含む配信用情報を作成するための作成手段と、
前記端末に前記配信用情報を送信するように前記通信手段を制御するための手段とを含む、情報配信装置。
【請求項２】
前記作成手段は、前記情報提供装置を特定する情報を、予め定められた情報に変更するように前記配信用情報を作成するための手段を含む、請求項１に記載の情報配信装置。
【請求項３】
前記作成手段は、前記情報提供装置を特定する情報を、情報配信装置自体を特定する情報に変更するように前記配信用情報を作成するための手段を含む、請求項２に記載の情報配信装置。
【請求項４】
前記作成手段は、前記情報提供装置を特定する情報を削除するように前記配信用情報を作成するための手段を含む、請求項１に記載の情報配信装置。
【請求項５】
前記記憶手段は、前記端末に前記配信用情報を提供するか否かを判断するための判断情報を記憶するための判断情報記憶手段をさらに含み、
前記制御手段は、前記判断情報と、前記通信手段が受信した前記端末からの情報とに基づいて、前記端末に配信用情報を送信するか否かを判断するための判断手段をさらに含む、請求項１〜４のいずれかに記載の情報配信装置。
【請求項６】
前記判断情報記憶手段は、前記オリジナル情報に対応づけて前記判断情報を記憶するための手段を含み、
前記判断手段は、前記オリジナル情報に対応づけて記憶された前記判断情報と、前記通信手段が受信した、前記判断情報に対応する、前記端末からの情報とに基づいて、前記端末に前記配信用情報を送信するか否かを判断するための手段を含む、請求項５に記載の情報配信装置。
【請求項７】
前記情報配信装置は、前記配信用情報の送信に対する課金額を計算するための手段をさらに含む、請求項１〜６のいずれかに記載の情報配信装置。
【請求項８】
端末および情報提供装置と通信する通信ステップと、
前記情報提供装置から送信されたオリジナル情報、前記オリジナル情報に基づいて作成された配信用情報および前記配信用情報を作成するために必要な作成用データを記憶する記憶ステップと、
前記通信ステップおよび前記記憶ステップを制御する制御ステップとを含み、
前記制御ステップは、
前記通信ステップを介して前記端末から受信した第１の要求データに基づいて作成した第２の要求データを、前記情報提供装置に送信するように前記通信手段を制御するステップと、
前記通信ステップを介して前記情報提供装置から受信したオリジナル情報に含まれる、前記情報提供装置を特定する情報が、前記作成用データに基づいて変更された情報を含む配信用情報を作成する作成ステップと、
前記端末に前記配信用情報を送信するように前記通信ステップを制御するステップとを含む、情報配信方法。
【請求項９】
前記作成ステップは、前記情報提供装置を特定する情報を、予め定められた情報に変更するように、前記配信用情報を作成するステップを含む、請求項８に記載の情報配信方法。
【請求項１０】
前記作成ステップは、前記情報提供装置を特定する情報を、情報通信方法が使用される装置自体を特定する情報に変更するように前記配信用情報を作成するステップを含む、請求項９に記載の情報配信方法。
【請求項１１】
前記作成ステップは、前記情報提供装置を特定する情報を削除するように前記配信用情報を作成するステップを含む、請求項８に記載の情報配信方法。
【請求項１２】
前記記憶ステップは、前記端末に前記配信用情報を送信するか否かを判断するための判断情報を記憶する判断情報記憶ステップをさらに含み、
前記制御ステップは、前記判断情報と、前記通信ステップにおいて受信した前記端末からの情報とに基づいて、前記端末に配信用情報を送信するか否かを判断する判断ステップをさらに含む、請求項８〜１１のいずれかに記載の情報配信方法。
【請求項１３】
前記判断情報記憶ステップは、前記オリジナル情報に対応づけて前記判断情報を記憶するステップを含み、
前記判断ステップは、前記オリジナル情報に対応づけて記憶された前記判断情報と、前記通信ステップにおいて受信した、前記判断情報に対応する、前記端末からの情報とに基づいて、前記端末に前記配信用情報を送信するか否かを判断するステップを含む、請求項１２に記載の情報配信方法。
【請求項１４】
前記情報配信方法は、前記配信用情報の送信に対する課金額を計算するステップをさらに含む、請求項８〜１３のいずれかに記載の情報配信方法。
【請求項１５】
請求項８〜１４のいずれかに記載の情報処理方法をコンピュータに実現させるためのプログラム。
【請求項１６】
請求項１５に記載のプログラムを記録した記録媒体。
【発明の詳細な説明】
【０００１】
【発明の属する技術分野】
本発明は、ネットワークを介する情報配信装置に関し、特にポータルサイトを介して情報を提供する情報配信装置に関する。
【０００２】
【従来の技術】
インターネット上の膨大なコンテンツから必要なものを取得する為に、有用なコンテンツを集めたポータルサイトが利用されている。このポータルサイトでは、各サイトを登録してそのＵＲＬ（ｕｎｉｆｏｒｍ　ｒｅｓｏｕｒｃｅ　ｌｏｃａｔｏｒ）などをユーザに公開している。
【０００３】
そのようなポータルサイトの中には、サイトのホームページの中に企業などの広告を提示し、その広告料によって運営費をまかなう場合もある。このようなサイトの場合、サイトの運営を継続するために、継続的なアクセスを受けることが必要である。
【０００４】
なお、以上本発明についての従来の技術を、出願人の知得した一般的技術情報に基づいて説明した。出願人の記憶する範囲において、出願前までに先行技術文献情報として開示すべき本発明に特に関連する情報を出願人は有していない。
【０００５】
【発明が解決しようとする課題】
しかし、従来の技術では、端末に各サイトのＵＲＬなどが一度送信されてしまうと、それ以降はポータルサイトを経由しなくても各サイトにアクセスすることができる。そのため、ポータルサイトに提示された広告は、繰り返し閲覧されるものではない。
【０００６】
特に各サイトのＵＲＬなどを受信した端末がたとえばパーソナルコンピュータのように通信データの解読を比較的容易に行なうことができる場合、その問題は一層顕著になる。すなわち、ユーザはパーソナルコンピュータを用いて、各サイトのＵＲＬを容易に知ることができる。一度ポータルサイトから各サイトにアクセスすると、それ以降そのユーザはポータルサイトを経由せずに各サイトに直接アクセスするようになる。
【０００７】
さらに、ポータルサイトにリンクするサイトが特定の会員登録を行うことを条件として情報の提供を行う場合、そのサイトのＵＲＬが送信されることは、ハッキングなどによる不正閲覧を容易にするため、セキュリティの点で問題がある。
【０００８】
本発明は、上述の問題点を解決するためになされたものであって、その目的は、不正閲覧を防止しながら、配信用情報を閲覧することができる情報配信装置、情報配信方法、コンピュータを用いてその方法を実現するためのプログラムおよびそのプログラムを記録した記憶媒体を提供することである。
【０００９】
【課題を解決するための手段】
第１の発明に係る情報配信装置は、端末および情報提供装置と通信するための通信手段と、情報提供装置から送信されたオリジナル情報、オリジナル情報に基づいて作成された配信用情報および配信用情報を作成するために必要な作成用データを記憶するための記憶手段と、通信手段および記憶手段を制御するための制御手段とを含む。制御手段は、通信手段を介して端末から受信した第１の要求データに基づいて作成した第２の要求データを、情報提供装置に送信するように通信手段を制御するための手段と、通信手段を介して情報提供装置から受信したオリジナル情報に含まれる、情報提供装置を特定する情報が、作成用データに基づいて変更された情報を含む配信用情報を作成するための作成手段と、端末に配信用情報を送信するように通信手段を制御するための手段とを含む。
【００１０】
第１の発明によると、通信手段は、端末および情報提供装置と通信する。制御手段は、第１の要求データを受信したことに基づいて、通信手段に第２の要求データを送信させる。記憶手段は、第２の要求データの送信により通信手段が情報提供装置から受信したオリジナル情報、これに基づいて作成された配信用情報および配信用情報を作成するために必要なデータを記憶する。作成手段は、記憶手段に記憶されたオリジナル情報から、情報提供装置を特定する情報の内容が変更されるように、配信用情報を作成する。制御手段は、作成手段により作成された配信用情報を、通信手段に送信させる。これにより、端末には情報提供装置を特定する情報について、オリジナル情報とは内容が変更された配信用情報を提供するので、端末が直接情報提供装置を特定してオリジナル情報を取得することは困難になる。その結果、不正閲覧を防止しながら、配信用情報を閲覧することができる情報配信装置を提供することができる。
【００１１】
第２の発明に係る情報配信装置は、第１の発明の構成に加え、作成手段は、情報提供装置を特定する情報を、予め定められた情報に変更するように配信用情報を作成するための手段を含む。
【００１２】
第２の発明によると、作成手段は、情報提供装置を特定する情報が、予め定められた情報に変更されるように、配信用情報を作成する。予め定められた情報とは、たとえば特別な意味を持たない文字や記号の羅列のような情報である。これにより、端末には、情報提供装置を特定する情報が予め定められた情報に変更された配信用情報が提供されるので、端末が直接情報提供装置からオリジナル情報を取得することは困難になる。その結果、不正閲覧を防止しながら、配信用情報を閲覧することができる情報配信装置を提供することができる。
【００１３】
第３の発明に係る情報配信装置は、第２の発明の構成に加え、作成手段は、情報提供装置を特定する情報を、情報配信装置自体を特定する情報に変更するように配信用情報を作成するための手段を含む。
【００１４】
第３の発明によると、作成手段は、情報提供装置を特定する情報が、情報配信装置自体を特定する情報に変更されるように、配信用情報を作成する。これにより、端末には、情報提供装置を特定する情報が情報通信装置自体を特定する情報に変更された配信用情報が提供されるので、端末が直接情報提供装置からオリジナル情報を取得することは困難になる。その結果、不正閲覧を防止しながら、配信用情報を閲覧することができる情報配信装置を提供することができる。
【００１５】
第４の発明に係る情報配信装置は、第１の発明の構成に加え、作成手段は、情報提供装置を特定する情報を削除するように配信用情報を作成するための手段を含む。
【００１６】
第４の発明によると、作成手段は、情報提供装置を特定する情報を削除した配信用情報を作成する。これにより、端末には、情報提供装置を特定する情報が含まれない配信用情報が提供されるので、端末が直接情報提供装置からオリジナル情報を取得することは困難になる。その結果、不正閲覧を防止しながら、配信用情報を閲覧することができる情報配信装置を提供することができる。
【００１７】
第５の発明に係る情報配信装置は、第１〜第４の発明のいずれかの構成に加え、記憶手段は、端末に配信用情報を提供するか否かを判断するための判断情報を記憶するための判断情報記憶手段をさらに含む。制御手段は、判断情報と、通信手段が受信した端末からの情報とに基づいて、端末に配信用情報を送信するか否かを判断するための判断手段をさらに含む。
【００１８】
第５の発明によると、判断情報記憶手段は、端末に配信用情報を提供するか否かを判断するための判断情報を記憶する。判断手段は、判断情報と、通信手段が受信した、たとえば端末のユーザの識別番号やパスワードといった、端末からの情報とに基づいて、端末に配信用情報を提供するか否かを判断する。これにより、端末に配信用情報を提供するか否かの判断を行なうことができるので、情報提供装置がそのような判断を行なう必要がなくなる。情報提供装置がそのような判断を行なわないので、端末からの情報を情報提供装置に提示する必要がなくなる。その結果、端末のユーザが複数回の認証手続を要求されず、かつ端末のユーザの個人情報を保護しながら、配信用情報を閲覧することができる、情報配信装置を提供することができる。
【００１９】
第６の発明に係る情報配信装置は、第５の発明の構成に加え、判断情報記憶手段は、オリジナル情報に対応づけて判断情報を記憶するための手段を含み、判断手段は、オリジナル情報に対応づけて記憶された判断情報と、通信手段が受信した、判断情報に対応する、端末からの情報とに基づいて、端末に配信用情報を送信するか否かを判断するための手段を含む。
【００２０】
第６の発明によると、判断情報記憶手段は、オリジナル情報に対応づけて判断情報を記憶し、判断手段は、オリジナル情報に対応づけて記憶された判断情報と、通信手段が受信した、判断情報に対応する、端末からの情報とに基づいて、端末に配信用情報を提供するか否かを判断する。これにより、判断手段は、通信手段によって端末から受信することができる情報であれば判断情報として判断の対象とすることができるので、多種多様な情報を判断情報とすることができる。多種多様な情報を判断情報とすることができるので、判断手段は、閲覧に特別な資格を要する配信用情報も端末への提供の対象として判断することができる。その結果、閲覧に特別な資格を要する配信用情報を閲覧することができる、情報配信装置を提供することができる。
【００２１】
第７の発明に係る情報配信装置は、第１〜第６の発明のいずれかの構成に加え、配信用情報の送信に対する課金額を計算するための手段をさらに含む。
【００２２】
第７の発明によると、情報配信装置は、配信用情報の提供に対する課金額を計算するための手段をさらに含む。これにより、端末に配信用情報を提供することに対する課金額を特定することができる。その結果、配信用情報の提供に対する課金額を算出することができる情報配信装置を提供することができる。
【００２３】
第８の発明に係る情報配信方法は、端末および情報提供装置と通信する通信ステップと、情報提供装置から送信された、オリジナル情報、オリジナル情報に基づいて作成された配信用情報および配信用情報を作成するために必要な作成用データを記憶する記憶ステップと、通信ステップおよび記憶ステップを制御する制御ステップとを含む。制御ステップは、通信ステップを介して端末から受信した第１の要求データに基づいて作成した第２の要求データを、情報提供装置に送信するように通信手段を制御するステップと、通信ステップを介して情報提供装置から受信したオリジナル情報に含まれる、情報提供装置を特定する情報が、作成用データに基づいて変更された情報を含む配信用情報を作成する作成ステップと、端末に配信用情報を送信するように通信ステップを制御するステップとを含む。
【００２４】
第８の発明によると、通信ステップにおいて、端末および情報提供装置と通信する。制御ステップでは、第１の要求データを受信したことに基づいて、通信ステップにおいて第２の要求データを送信させる。記憶ステップでは、第２の要求データの送信により通信ステップにおいて情報提供装置から受信したオリジナル情報、これに基づいて作成された配信用情報および配信用情報を作成するために必要なデータを記憶する。作成ステップでは、記憶ステップにおいて記憶されたオリジナル情報から、情報提供装置を特定する情報の内容が変更されるように、配信用情報を作成する。制御ステップでは、作成ステップにおいて作成された配信用情報を、通信ステップにおいて送信させる。これにより、端末には情報提供装置を特定する情報について、オリジナル情報とは内容が変更された配信用情報を提供するので、端末が直接情報提供装置を特定してオリジナル情報を取得することは困難になる。その結果、不正閲覧を防止しながら、配信用情報を閲覧することができる情報配信方法を提供することができる。
【００２５】
第９の発明に係る情報配信方法は、第８の発明の構成に加え、作成ステップは、情報提供装置を特定する情報を、予め定められた情報に変更するように、配信用情報を作成するステップを含む。
【００２６】
第９の発明によると、作成ステップは、情報提供装置を特定する情報が、予め定められた情報に変更されるように、配信用情報を作成する。予め定められた情報とは、たとえば特別な意味を持たない文字や記号の羅列のような情報である。これにより、端末には、情報提供装置を特定する情報が予め定められた情報に変更された配信用情報が提供されるので、端末が直接情報提供装置からオリジナル情報を取得することは困難になる。その結果、不正閲覧を防止しながら、配信用情報を閲覧することができる情報配信方法を提供することができる。
【００２７】
第１０の発明に係る情報配信方法は、第９の発明の構成に加え、作成ステップは、情報提供装置を特定する情報を、情報通信方法が使用される装置自体を特定する情報に変更するように配信用情報を作成するステップを含む。
【００２８】
第１０の発明によると、作成ステップは、情報提供装置を特定する情報が、情報通信方法が使用される装置自体を特定する情報に変更されるように、配信用情報を作成する。これにより、端末には、情報提供装置を特定する情報が情報通信方法が使用される装置自体を特定する情報に変更された配信用情報が提供されるので、端末が直接情報提供装置からオリジナル情報を取得することは困難になる。その結果、不正閲覧を防止しながら、配信用情報を閲覧することができる情報配信方法を提供することができる。
【００２９】
第１１の発明に係る情報配信方法は、第８の発明の構成に加え、作成ステップは、情報提供装置を特定する情報を削除するように配信用情報を作成するステップを含む。
【００３０】
第１１の発明によると、作成ステップは、情報提供装置を特定する情報を削除した配信用情報を作成する。これにより、端末には、情報提供装置を特定する情報が含まれない配信用情報が提供されるので、端末が直接情報提供装置からオリジナル情報を取得することは困難になる。その結果、不正閲覧を防止しながら、配信用情報を閲覧することができる情報配信方法を提供することができる。
【００３１】
第１２の発明に係る情報配信方法は、第８〜第１１の発明のいずれかの構成に加え、記憶ステップは、端末に配信用情報を送信するか否かを判断するための判断情報を記憶する判断情報記憶ステップをさらに含み、制御ステップは、判断情報と、通信ステップにおいて受信した端末からの情報とに基づいて、端末に配信用情報を提供するか否かを判断する判断ステップをさらに含む。
【００３２】
第１２の発明によると、判断情報記憶ステップは、端末に配信用情報を送信するか否かを判断するための判断情報を記憶する。判断ステップは、判断情報と、通信ステップにおいて受信した、たとえば端末のユーザの識別番号やパスワードといった、端末からの情報とに基づいて、端末に配信用情報を提供するか否かを判断する。これにより、端末に配信用情報を提供するか否かの判断を行なうことができるので、情報提供装置がそのような判断を行なう必要がなくなる。情報提供装置がそのような判断を行なわないので、端末からの情報を情報提供装置に提示する必要がなくなる。その結果、端末のユーザが複数回の認証手続を要求されず、かつ端末のユーザの個人情報を保護しながら、配信用情報を閲覧することができる、情報配信方法を提供することができる。
【００３３】
第１３の発明に係る情報配信方法は、第１２の発明の構成に加え、判断情報記憶ステップは、オリジナル情報に対応づけて判断情報を記憶するステップを含み、判断ステップは、オリジナル情報に対応づけて記憶された判断情報と、通信ステップにおいて受信した、判断情報に対応する、端末からの情報とに基づいて、端末に配信用情報を送信するか否かを判断するステップを含む。
【００３４】
第１３の発明によると、判断情報記憶ステップは、オリジナル情報に対応づけて判断情報を記憶し、判断ステップは、オリジナル情報に対応づけて記憶された判断情報と、通信ステップにおいて受信した、判断情報に対応する、端末からの情報とに基づいて、端末に配信用情報を送信するか否かを判断する。これにより、判断ステップでは、通信ステップにおいて端末から受信することができる情報であれば判断情報として判断の対象とすることができるので、多種多様な情報を判断情報とすることができる。多種多様な情報を判断情報とすることができるので、判断ステップは、閲覧に特別な資格を要する配信用情報も端末への提供の対象として判断することができる。その結果、閲覧に特別な資格を要する配信用情報を閲覧することができる、情報配信方法を提供することができる。
【００３５】
第１４の発明に係る情報配信方法は、第８〜第１３の発明のいずれかの構成に加え、配信用情報の送信に対する課金額を計算するステップをさらに含む。
【００３６】
第１４の発明によると、情報配信方法は、配信用情報の送信に対する課金額を計算するステップをさらに含む。これにより、端末に配信用情報を送信することに対する課金額を特定することができる。その結果、配信用情報の送信に対する課金額の根拠を算出することができる情報配信方法を提供することができる。
【００３７】
第１５の発明に係るプログラムは、第８〜１４の発明のいずれかに記載の情報処理方法をコンピュータに実現させるためのものである。
【００３８】
第１５の発明によると、コンピュータは、第８〜１４の発明のいずれかの情報処理方法を実行する情報処理装置として動作する。その結果、個人情報の保護と不正閲覧の防止とを実現しながら、配信用情報を閲覧することができる情報配信方法を提供することができる。
【００３９】
第１６の発明に係る記録媒体は、第１５の発明に係るプログラムを記録したものである。
【００４０】
第１６の発明によると、第１５の発明に係るプログラムをコンピュータに実行させるために記録された記録媒体を提供することができる。
【００４１】
【発明の実施の形態】
以下、図面を参照しつつ、本発明の実施の形態について説明する。以下の説明では、同一の部品には同一の符号を付してある。それらの名称および機能も同一である。したがって、それらについての詳細な説明は繰返さない。
【００４２】
図１に示すように、本実施の形態に係るコンテンツ配信装置１００が、インターネット１０６を介してコンテンツ提供装置１０２および端末１０４に接続される。コンテンツ提供装置１０２および端末１０４は、それぞれ情報を交換するためのインターフェイスおよびその情報を処理するためのＣＰＵ（図示せず）を有し、端末１０４は受信した配信用データを表示するための表示装置１０４Ａを有する。コンテンツ配信装置１００、コンテンツ提供装置１０２および端末１０４は、インターネット１０６を介して相互にデータを交換し得るが、コンテンツ提供装置１０２のＵＲＬおよびＩＰアドレス（ｉｎｔｅｒｎｅｔ　ｐｒｏｔｏｃｏｌ）は公開されていないため、端末１０４から直接コンテンツ提供装置１０２にアクセスすることはできない。
【００４３】
本実施の形態に係るコンテンツ配信装置１００は、コンテンツ配信装置１００の各部を制御する制御部１１２と、記憶部１１４と、インターフェイス１１６と、ＣＤ駆動部１１８と、ＦＤ（ｆｌｅｘｉｂｌｅ　ｄｉｓｋ）駆動部１２０とを含む。記憶部１１４は、制御部１１２に接続され、コンテンツ提供装置１０２から提供されたコンテンツのオリジナルデータ、オリジナルデータから作成された配信用データ、配信用データを作成するために必要なデータ、制御部１１２において実行されるプログラムおよびそのプログラムの中間データを記憶する。インターフェイス１１６は、制御部１１２に接続され、コンテンツ提供装置１０２および端末１０４との間でデータの通信を行なう。ＣＤ駆動部１１８は、制御部１１２に接続され、ＣＤ−ＲＯＭ（Ｃｏｍｐａｃｔ　Ｄｉｓｃ　Ｒｅａｄ−Ｏｎｌｙ　Ｍｅｍｏｒｙ）からデータを読取る。ＦＤ駆動部１２０は、制御部１１２に接続され、フレキシブルディスクからデータを読取る。制御部１１２は、各種の判断を行なう判断部１３２と、コンテンツ提供装置１０２および端末１０４にデータを要求する要求部１３４と、受信したデータを基に新たなデータを作成する作成部１３６と、端末１０４に作成部１３６が作成したデータの送信を行なう配信部１３８とを含む。
【００４４】
このコンテンツ配信装置１００は、コンピュータハードウェアと制御部１１２により実行されるソフトウェアとにより実現される。一般的にこうしたハードウェアは、ＣＤ−ＲＯＭ、フレキシブルディスクなどの記憶媒体に格納されて流通し、ＦＤ駆動部１２０またはＣＤ駆動部１１８などにより記憶媒体から読取られて記憶部１１４に一旦格納される。図１に示したコンピュータのハードウェア自体は一般的なものである。したがって、本発明の最も本質的な部分は、図示しないフレキシブルディスク、ＣＤ−ＲＯＭなどの記録媒体に記録されたソフトウェアである。
【００４５】
図２を参照して、端末に配信用データを提供するか否かを判断するために必要なデータの一つとして記憶部１１４に記憶される、会員の個人データの例を示す。このデータは、氏名などを含み、端末からログインの請求があった場合や、特別な認証を行なう場合に用いる。なお、ここでいう「会員」とは、コンテンツ配信装置１００から、端末１０４を介して配信用情報の提供を受ける者をいう。
【００４６】
図３を参照して、端末に配信用データを提供するか否かを判断するために必要なデータの一つとして記憶部１１４に記憶された判断情報は、コンテンツに対応づけられて、会員の個人データに対する条件の形式で記憶されている。特別な認証の条件を規定していない項目については何も記憶されていないので、図３では空欄としている。「個別認証」は、会員の個人データに規定されていない特別な認証の条件がある場合、その条件を規定する。
【００４７】
図４を参照して、配信用データを作成するために必要なデータとして記憶部１１４に記憶された、コンテンツ提供装置１０２に対応するコンテンツ番号、コンテンツ提供装置１０２のＵＲＬ、コンテンツ提供装置１０２のメールアドレス、コンテンツの提供に対する課金および課金額を算出する単位の一例を示す。
【００４８】
図５を参照して、端末１０４がインターフェイス１１６を通じて新規会員登録の請求をする際のフォーマットは、コンテンツ配信装置１００を特定するアドレス記憶エリア１４０と、会員登録処理を表すコード記憶エリア１４２と、登録データ記憶エリア１４４とを含む。
【００４９】
図６を参照して、配信部１３８がインターフェイス１１６を通じて端末１０４に概要データを送信する際のフォーマットは、端末１０４を特定するアドレス記憶エリア１８４と、概要データの送信を表すコード記憶エリア１８６と、概要データ記憶エリア１８８とを含む。
【００５０】
図７を参照して、端末１０４がインターフェイス１１６を通じてログインの請求をする際のフォーマットは、アドレス記憶エリア１４０と、ログイン処理を表すコード記憶エリア１４６と、会員データ記憶エリア１４８とを含む。この会員データ記憶エリア１４８は、ＩＤとパスワードとを一体化したものである。
【００５１】
図８を参照して、端末１０４がインターフェイス１１６を通じて配信用データを請求する際のフォーマットは、アドレス記憶エリア１４０と、コンテンツの指定を表すコード記憶エリア１５０と、コンテンツ番号記憶エリア１５２とを含む。
【００５２】
図９を参照して、コンテンツ配信装置１００が、コンテンツ提供装置１０２にオリジナルデータを請求する際のフォーマットを示す。このフォーマットは、コンテンツ提供装置１０２を特定するアドレス記憶エリア１５４と、オリジナルデータの請求を表すコード記憶エリア１５６と、オリジナルデータのファイル名記憶エリア１５８とを含む。
【００５３】
図１０を参照して、コンテンツ提供装置１０２からインターフェイス１１６を通じてオリジナルデータを受信する際のフォーマットを示す。このフォーマットは、アドレス記憶エリア１４０と、オリジナルデータの送信を表すコード記憶エリア１６０と、オリジナルデータのファイル記憶エリア１６２とを含む。
【００５４】
図１１を参照して、端末１０４がインターフェイス１１６を通じて個人データおよびデータテーブルの番号を送信する際のフォーマットを示す。このフォーマットは、アドレス記憶エリア１４０と、個人データを暗号化したコード記憶エリア１６４とを含む。個人データを暗号化したコード記憶エリア１６４は、会員の姓記憶エリア１６６と、会員の名記憶エリア１６８と、フリガナ記憶エリア１７０と、関連する会の会員番号記憶エリア１７２と、生年月日記憶エリア１７４と、性別記憶エリア１７６と、居住地域記憶エリア１７８と、暗号化に使用したデータテーブルの番号記憶エリア１８０とを含む。
【００５５】
図１２を参照して、端末１０４がインターフェイス１１６を通じて個別認証について返信する際のフォーマットを示す。このフォーマットは、アドレス記憶エリア１４０と、認証に必要なデータを暗号化した認証用コード記憶エリア１８２とを含む。認証用コード記憶エリア１８２は、認証に対する回答記憶エリア１９４と、暗号化に使用したデータテーブルの番号記憶エリア１８０とを含む。
【００５６】
図１３を参照して、配信部１３８がインターフェイス１１６を通じて端末１０４に配信用データを送信する際のフォーマットは、端末１０４を特定するアドレス記憶エリア１８４と、配信用データの送信を表すコード記憶エリア１９０と、配信用データ記憶エリア１９２とを含む。
【００５７】
図１４を参照して、コンテンツ配信装置１００で実行されるプログラムは、配信用データの提供に関し、以下のような制御構造を有する。
【００５８】
ステップ１００（以下、ステップをＳと略す。）にて、判断部１３２は、記憶部１１４に一時的に記憶させておいたデータなどを初期値に設定する。Ｓ１０２にて、要求部１３４は、コンテンツ提供装置１０２にコンテンツの概要を表す概要データを送信するよう要求する。
【００５９】
Ｓ１０４にて、作成部１３６は、インターフェイス１１６を通じて、概要データを受信する。Ｓ１０６にて、作成部１３６は、記憶部１１４に記憶された、ポータルサイト用のＨＴＭＬ（ｈｙｐｅｒ　ｔｅｘｔ　ｍａｒｋ−ｕｐ　ｌａｎｇｕａｇｅ）データを、概要データに基づいて書き換え、新たなＨＴＭＬデータを作成する。
【００６０】
Ｓ１０８にて、判断部１３２は、インターフェイス１１６を通じて、端末１０４からデータを受信するまで待つ。端末１０４から受信するデータのフォーマットは、図５、図７により示される。Ｓ１１０にて、判断部１３２は、受信したデータのコードの値に基づいて、そのデータが新規会員登録の要求か否か判断する。もし受信したデータが新規会員登録の要求と判断した場合には（Ｓ１１０にてＹＥＳ）、処理はＳ１１２へと移される。もしそうでないと（Ｓ１１０にてＮＯ）、処理はＳ１１４へと移される。Ｓ１１２にて、判断部１３２は、新規会員の登録処理を行なう。
【００６１】
Ｓ１１４にて、判断部１３２は、受信したデータのコードの値に基づいて、そのデータがコンテンツの概要の要求か否か判断する。もし受信したデータが概要データの要求と判断した場合には（Ｓ１１４にてＹＥＳ）、処理はＳ１１６へと移される。もしそうでないと（Ｓ１１４にてＮＯ）、処理はＳ１２０へと移される。Ｓ１１６にて、配信部１３８は、要求された概要データを端末１０４に送信する。この時端末１０４に送信する概要データのフォーマットは、図６により示される。
【００６２】
Ｓ１２０にて、判断部１３２は、会員ＩＤとパスワードとを一体化した会員データ記憶エリア１４８に記憶された値と、図２に示す記憶部１１４の個人データとを対比して、端末１０４のユーザがログインに必要な認証の条件を満足するか否かを判断する。もし端末１０４のユーザがログインに必要な認証の条件を満足すると判断した場合には（Ｓ１２０にてＹＥＳ）、処理はＳ１２２へと移される。もしそうでないと（Ｓ１２０にてＮＯ）、処理はＳ１１８へと移される。Ｓ１１８にて、配信部１３８は、端末１０４にログインを拒否する旨のデータを送信する。
【００６３】
Ｓ１２２にて、判断部１３２は、端末１０４に選択画面を表示させるためのデータを送信する。Ｓ１２４にて、判断部１３２は、インターフェイス１１６を通じて、端末１０４からコンテンツ番号を指定するデータを受信するまで待つ。端末１０４から受信するデータのフォーマットは、図８により示される。
【００６４】
Ｓ１２６にて、判断部１３２は、記憶部１１４に記憶された、図３をはじめとするコンテンツ別の判断情報と、コンテンツ番号記憶エリア１５２の値に基づいて、端末１０４のユーザが希望するコンテンツが特別な認証を必要とするコンテンツか否か判断する。もし端末１０４のユーザが希望するコンテンツが特別な認証を必要とするコンテンツと判断した場合には（Ｓ１２６にてＹＥＳ）、処理はＳ１２８へと移される。もしそうでないと（Ｓ１２６にてＮＯ）、処理はＳ１３４へと移される。Ｓ１２８にて、判断部１３２は、個別認証の処理を行なう。
【００６５】
Ｓ１３０にて、判断部１３２は、記憶部１１４に記憶された、図３をはじめとするコンテンツ別の判断情報と、コンテンツ番号記憶エリア１５２の値に基づいて、端末１０４のユーザが特別な認証の条件を満足するか否か判断する。もし端末１０４のユーザが特別な認証の条件を満足すると判断した場合には（Ｓ１３０にてＹＥＳ）、処理はＳ１３４へと移される。もしそうでないと（Ｓ１３０にてＮＯ）、処理はＳ１３２へと移される。Ｓ１３２にて、配信部１３８は、端末１０４にコンテンツの提供を拒否する旨のデータを送信する。
【００６６】
Ｓ１３４にて、要求部１３４は、インターフェイス１１６を通じて、コンテンツ提供装置１０２に対し、コンテンツのオリジナルデータを要求する。コンテンツ提供装置１０２の特定は、図４に示す、記憶部１１４に記憶されたＵＲＬにより行なう。要求部１３４から送信するデータのフォーマットは、図９により示される。Ｓ１３６にて、作成部１３６は、オリジナルデータの受信を待つ。コンテンツ提供装置１０２から受信するデータのフォーマットは、図１０により示される。Ｓ１３８にて、作成部１３６は、受信したオリジナルデータを編集し、コンテンツ提供装置１０２のＵＲＬおよびＩＰアドレスをコンテンツ配信装置１００のＵＲＬおよびＩＰアドレスに変更し、配信用データを作成する。
【００６７】
Ｓ１４０にて、配信部１３８は、作成部１３６が作成した配信用データを端末１０４へ送信する。この時端末１０４に送信する配信用データ記憶エリア１９２のフォーマットは、図１３により示される。Ｓ１４２にて、配信部１３８は、配信した配信用データの課金額に相当する値を、記憶部１１４に記憶された会員別の請求額の値に加算し、記憶させる。あわせて、記憶部１１４に記憶されたコンテンツ別の閲覧数の値に加算し、記憶させる。課金額に相当する値は、図４に示す、記憶部１１４に記憶された購読料を参照して特定する。Ｓ１４４にて、判断部１３２は、一定の時間、端末１０４からログアウトの要求を意味するデータの受信を待ち、Ｓ１２４へと移る。
【００６８】
図１５を参照して、コンテンツ配信装置１００で実行されるプログラムは、Ｓ１１２の会員登録処理に関し、以下のような制御構造を有する。
【００６９】
Ｓ１５０にて、配信部１３８は、端末１０４に入力用フォーム、数種類の暗号変換データテーブルおよび使用するデータテーブルを決定するプログラムを送信する。Ｓ１５２にて、判断部１３２は、端末１０４から個人データと暗号化に使用したデータテーブルの番号とを受信する。端末１０４から受信するデータのフォーマットは、図１１により示される。
【００７０】
Ｓ１５４にて、判断部１３２は、記憶部１１４に記憶されたデータテーブルを基に、受信した個人データを解読する。Ｓ１５６にて、判断部１３２は、解読した個人データと記憶部１１４に記憶された、図３をはじめとする登録情報とを対比して、端末１０４のユーザに会員登録の資格があるか否かを判断する。会員登録の資格があると判断した場合には（Ｓ１５６にてＹＥＳ）、処理はＳ１６０へと移される。もしそうでないと（Ｓ１５６にてＮＯ）、処理はＳ１５８へと移される。Ｓ１５８にて、配信部１３８は、登録を拒否する旨のデータを端末１０４に送信する。
【００７１】
Ｓ１６０にて、判断部１３２は、会員番号を設定する。Ｓ１６２にて、判断部１３２は、会員番号とともに、解読した個人データを記憶部１１４に記憶させる。この時記憶部１１４に記憶される個人データは、図２の通りである。Ｓ１６４にて、配信部１３８は、登録済の旨のデータを端末１０４に送信する。
【００７２】
図１６を参照して、コンテンツ配信装置１００で実行されるプログラムは、配信用データの作成に関し、以下のような制御構造を有する。
【００７３】
Ｓ１７０にて、作成部１３６は、受信したオリジナルデータの文字列を走査する。Ｓ１７２にて、作成部１３６は、走査した文字にＵＲＬまたはＩＰアドレスが含まれているか否か判断する。ＵＲＬまたはＩＰアドレスが含まれていると判断した場合には（Ｓ１７２にてＹＥＳ）、処理はＳ１７４へと移される。もしそうでないと（Ｓ１７２にてＮＯ）、処理はＳ１８０へと移される。
【００７４】
Ｓ１７４にて、作成部１３６は、発見したＵＲＬまたはＩＰアドレスと記憶部１１４に記憶されたコンテンツ提供装置１０２のＵＲＬまたはＩＰアドレスとを比較して、発見したＵＲＬまたはＩＰアドレスにコンテンツ番号が割当てられているか否か判断する。コンテンツ番号が割当てられていると判断した場合には（Ｓ１７４にてＹＥＳ）、処理はＳ１７６へと移される。もしそうでないと（Ｓ１７４にてＮＯ）、処理はＳ１７８へと移される。Ｓ１７６にて、作成部１３６は、発見したＵＲＬまたはＩＰアドレスを、コンテンツ配信装置１００自身のＵＲＬまたはＩＰアドレスに書き換える。Ｓ１７８にて、作成部１３６は、発見したＵＲＬまたはＩＰアドレスを削除する。
【００７５】
Ｓ１８０にて、作成部１３６は、オリジナルデータの走査が終了したか否か判断する。もし終了したと判断した場合には（Ｓ１８０にてＹＥＳ）、処理はメインルーチンへと復帰する。もしそうでないと（Ｓ１８０にてＮＯ）、処理はＳ１７０へと移される。
【００７６】
図１７を参照して、コンテンツ配信装置１００で実行されるプログラムは、Ｓ１２８の個別認証処理に関し、以下のような制御構造を有する。
【００７７】
Ｓ１９０にて、判断部１３２は、記憶部１１４から個別認証の条件を読出す。この時読出される個別認証の条件を、図３に示す。Ｓ１９２にて、作成部１３６は、記憶部１１４に記憶された、個別認証画面フォームのデータに、読出した情報を挿入する。Ｓ１９４にて、配信部１３８は、Ｓ１９２にて作成された個別認証画面フォームのデータ、数種類の暗号変換データテーブルおよび使用するデータテーブルを決定するプログラムを、端末１０４に送信する。Ｓ１９６にて、判断部１３２は、端末１０４から認証に対する回答と暗号化に使用したデータテーブルの番号を受信する。端末１０４から受信するデータのフォーマットは、図１２により示される。
【００７８】
以上のような構造およびフローチャートに基づく、コンテンツ配信装置１００の動作について説明する。
【００７９】
［新規会員登録を行なう場合］
判断部１３２は、記憶部１１４に一時的に記憶させておいたデータなどを初期値に設定する（Ｓ１００）。データの再設定が終了すると、要求部１３４は、コンテンツ提供装置１０２にコンテンツの概要を表す概要データを送信するよう要求する（Ｓ１０２）。
【００８０】
データの送信を要求すると、作成部１３６は、インターフェイス１１６を通じて、概要データを受信する（Ｓ１０４）。概要データを受信すると、作成部１３６は、記憶部１１４に記憶された、ポータルサイト用のＨＴＭＬデータを、概要データに基づいて書き換え、新たなＨＴＭＬデータを作成する（Ｓ１０６）。
【００８１】
新たなデータを作成すると、判断部１３２は、インターフェイス１１６を通じて、端末１０４からデータを受信するまで待つ（Ｓ１０８）。インターフェイス１１６がデータを受信すると、判断部１３２は、受信したデータのコードの値に基づいて、そのデータが新規会員登録の要求か否か判断する（Ｓ１１０）。この場合受信したデータは新規会員登録の要求なので（Ｓ１１０にてＹＥＳ）、配信部１３８は、端末１０４に入力用フォームなどを送信する（Ｓ１５０）。図１８を参照して、表示装置１０４Ａに表示される会員登録画面の例を示す。
【００８２】
入力用フォームなどの送信後、判断部１３２は、端末１０４から個人データと暗号化に使用したデータテーブルの番号とを受信する（Ｓ１５２）。番号などを受信すると、判断部１３２は、記憶部１１４に記憶されたデータテーブルを基に、受信した個人データを解読する（Ｓ１５４）。個人データを解読すると、判断部１３２は、解読した個人データと記憶部１１４に記憶された登録情報とを対比して、端末１０４のユーザに会員登録の資格があるか否かを判断する（Ｓ１５６）。この場合、会員登録の資格があると判断するので（Ｓ１５６にてＹＥＳ）、判断部１３２は、会員番号を設定する（Ｓ１６０）。
【００８３】
会員番号を設定すると、判断部１３２は、会員番号とともに、解読した個人データを記憶部１１４に記憶させる（Ｓ１６２）。個人データなどの記憶が完了すると、配信部１３８は、登録済の旨のデータを端末１０４に送信し（Ｓ１６４）、再び端末１０４からデータを受信するまで待つ（Ｓ１０８）。
【００８４】
［概要の閲覧後、特別な認証を必要としないコンテンツの提供を請求された場合］
端末１０４からデータを受信すると（Ｓ１０８）、判断部１３２は、受信したデータのコードの値に基づいて、そのデータが新規会員登録の要求か否か判断する（Ｓ１１０）。この場合受信したデータは新規会員登録の要求ではないので（Ｓ１１０にてＮＯ）、判断部１３２は、受信したデータのコードの値に基づいて、そのデータがコンテンツの概要の要求か否か判断する（Ｓ１１４）。この場合受信したデータをコンテンツの概要の要求と判断するので（Ｓ１１４にてＹＥＳ）、配信部１３８は、要求された概要のデータを端末１０４に送信する（Ｓ１１６）。この時表示装置１０４Ａに表示される画像の一例を図１９に示す。Ｓ１０８〜Ｓ１１０までの処理は、上述の場合と同様なので、ここでは繰り返さない。この間に端末１０４ではＳ１１６において送信された概要のデータが閲覧されている。
【００８５】
Ｓ１１０の処理が終了した後、判断部１３２は、受信したデータのコードの値に基づいて、そのデータがコンテンツの概要の要求か否か判断する（Ｓ１１４）。この場合受信したデータをコンテンツの概要の要求と判断しないので（Ｓ１１４にてＮＯ）判断部１３２は、会員ＩＤとパスワードとを一体化した会員データ記憶エリア１４８に記憶された値と、図２に示す記憶部１１４の個人データとを対比して、端末１０４のユーザがログインに必要な認証の条件を満足するか否かを判断する（Ｓ１２０）。この場合認証の条件を満足すると判断するので（Ｓ１２０にてＹＥＳ）、判断部１３２は、端末１０４に選択画面を表示させるためのデータを送信する（Ｓ１２２）。図２０を参照して、この時端末１０４に表示される選択画面の一例を示す。
【００８６】
データを送信すると、判断部１３２は、インターフェイス１１６を通じて、端末１０４からコンテンツ番号を指定するデータを受信するまで待つ（Ｓ１２４）。データを受信すると、判断部１３２は、端末１０４のユーザが希望するコンテンツが特別な認証を必要とするコンテンツか否か判断する（Ｓ１２６）。この場合特別な認証を必要とするコンテンツではないので（Ｓ１２６にてＮＯ）、要求部１３４は、インターフェイス１１６を通じて、コンテンツ提供装置１０２に対し、コンテンツのオリジナルデータを要求する（Ｓ１３４）。コンテンツのオリジナルデータを要求すると、作成部１３６は、オリジナルデータの受信を待つ（Ｓ１３６）。
【００８７】
オリジナルデータを受信すると、作成部１３６は、受信したオリジナルデータの文字列を走査する（Ｓ１７０）。オリジナルデータの文字を走査すると、作成部１３６は、走査した文字にＵＲＬまたはＩＰアドレスが含まれているか否か判断する（Ｓ１７２）。この場合ＵＲＬが含まれていると判断するので（Ｓ１７２にてＹＥＳ）、作成部１３６は、発見したＵＲＬにコンテンツ番号が割当てられているか否か判断する（Ｓ１７４）。この場合コンテンツ番号が割当てられていると判断するので（Ｓ１７４にてＹＥＳ）、作成部１３６は、発見したＵＲＬを、コンテンツ配信装置１００自身のＵＲＬに書き換える（Ｓ１７６）。
【００８８】
ＵＲＬの書換えが終了すると、作成部１３６は、オリジナルデータの走査が終了したか否か判断する（Ｓ１８０）。オリジナルデータの走査が終了していない場合は（Ｓ１８０にてＮＯ）、再び文字列の走査が繰り返される（Ｓ１７０）。図２１を参照して、作成部１３６が走査する前後において、オリジナルデータに記載されたＵＲＬは、図２１（Ａ）に示す状態から図２１（Ｂ）に示す状態へと変化する。
【００８９】
走査が終了すると（Ｓ１８０にてＹＥＳ）、配信部１３８は、作成部１３６が作成した配信用データを端末１０４へ送信する（Ｓ１４０）。図２２を参照して、送信された配信用データが、表示装置１０４Ａにおいて表示される場合の例を示す。
【００９０】
配信用データを送信すると、配信部１３８は、配信した配信用データの課金額に相当する値を、記憶部１１４に記憶された会員別の請求額の値に加算し、記憶させる。あわせて、記憶部１１４に記憶されたコンテンツ別の閲覧数の値に加算し、記憶させる（Ｓ１４２）。新たな課金額の額を記憶させると、判断部１３２は、一定の間、端末１０４からログアウトの要求を意味するデータの受信を待つ（Ｓ１４４）。一定の時間が経過すると、再び判断部１３２は、インターフェイス１１６を通じて、端末１０４からコンテンツ番号を指定するデータを受信するまで待つ（Ｓ１２４）。
【００９１】
［特別な認証および個別認証を必要とするコンテンツの提供を請求された場合］
端末１０４からコンテンツ番号を指定するデータを受信すると（Ｓ１２４）、判断部１３２は、端末１０４のユーザが希望するコンテンツが特別な認証を必要とするコンテンツか否か判断する（Ｓ１２６）。この場合特別な認証を必要とするコンテンツなので（Ｓ１２６にてＹＥＳ）、判断部１３２は、記憶部１１４から個別認証の条件を読出す（Ｓ１９０）。
【００９２】
個別認証の条件を読出すと、作成部１３６は、記憶部１１４に記憶された、個別認証用の画面フォームのデータに、読出した情報を挿入する（Ｓ１９２）。情報を挿入すると、配信部１３８は、Ｓ１９２にて作成された個別認証用の画面フォームのデータなどを、端末１０４に送信する（Ｓ１９４）。図２３を参照して、送信された個別認証用の画面フォームが、表示装置１０４Ａに表示される場合の例を示す。
【００９３】
個別認証用の画面フォームのデータなどの送信後、判断部１３２は、端末１０４から認証に対する回答と暗号化に使用したデータテーブルの番号を受信する（Ｓ１９６）。認証に対する回答などを受信すると、判断部１３２は、記憶部１１４に記憶されたデータテーブルを基に、受信した情報を解読する（Ｓ１５４）。
【００９４】
情報を解読すると、判断部１３２は、端末１０４のユーザが特別な認証の条件を満足するか否か判断する（Ｓ１３０）。この場合端末１０４のユーザは特別な認証の条件を満足すると判断するので（Ｓ１３０にてＹＥＳ）、要求部１３４は、コンテンツ提供装置１０２に対し、コンテンツのオリジナルデータを要求する（Ｓ１３４）。
【００９５】
以上のようにして、本実施の形態に係るコンテンツ配信装置１００は、コンテンツを提供することができる。その結果、その結果、個人情報の保護と配信用情報の不正閲覧の防止とを実現しながら、１度の認証手続で認証が必要な配信用情報を閲覧することができる、コンテンツ配信装置を提供できる。
【００９６】
＜変形例＞
前述の実施の形態において説明したＳ１７４からＳ１７８までの処理に代えて、対応するコンテンツ番号の有無にかかわらず、Ｓ１７０にて発見したＵＲＬの記載を、すべて削除しても良い。図２４を参照して、本変形例においては、作成部１３６が走査する前後において、オリジナルデータに記載されたＵＲＬは、図２４（Ａ）に示す状態から図２４（Ｂ）に示す状態へと変化することになる。
【００９７】
本変形例によると、オリジナルデータに記載されたＵＲＬに関わらず、同一の処理を行なうので、個別に書換えるべきＵＲＬを決定する必要がなく、処理が簡略化される。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係るコンテンツ配信装置とインターネットとの関係を表す概念図である。
【図２】本発明の実施の形態に係る記憶部に記憶された会員の個人データを表す概念図である。
【図３】本発明の実施の形態に係る記憶部に記憶されたコンテンツ別の判断条件の内容を表す概念図である。
【図４】本発明の実施の形態に係る記憶部に記憶された、各コンテンツに割当てられたコード番号などの例を表す概念図である。
【図５】本発明の実施の形態に係る端末が、コンテンツ配信装置に対して、新規会員登録を請求する旨のデータを送信する際のフォーマットを示す図である。
【図６】本発明の実施の形態に係るコンテンツ配信装置が、端末に対して、概要データを送信する際のフォーマットを示す図である。
【図７】本発明の実施の形態に係る端末が、コンテンツ配信装置に対して、ログインを請求する旨のデータを送信する際のフォーマットを示す図である。
【図８】本発明の実施の形態に係るコンテンツ配信装置に対して、端末からコンテンツを請求する旨のデータを送信する際のフォーマットを示す図である。
【図９】本発明の実施の形態に係るコンテンツ配信装置が、コンテンツ提供装置に対して、オリジナルデータを請求する旨のデータを送信する際のフォーマットを示す図である。
【図１０】本発明の実施の形態に係るコンテンツ提供装置が、コンテンツ配信装置に対して、オリジナルデータを送信する際のフォーマットを示す図である。
【図１１】本発明の実施の形態に係るコンテンツ配信装置に対して、端末から個人データを送信する際のフォーマットを示す図である。
【図１２】本発明の実施の形態に係るコンテンツ配信装置に対して、端末から個別認証に対する返信の際のフォーマットを示す図である。
【図１３】本発明の実施の形態に係るコンテンツ配信装置が、端末に対して、配信用データを送信する際のフォーマットを示す図である。
【図１４】本発明の実施の形態に係るコンテンツ配信装置におけるコンテンツ提供処理の制御の手順を示すフローチャートである。
【図１５】本発明の実施の形態に係るコンテンツ配信装置における会員登録処理の制御の手順を示すフローチャートである。
【図１６】本発明の実施の形態に係る作成部が、配信用データを作成する場合の制御の手順を示すフローチャートである。
【図１７】本発明の実施の形態に係る端末における個別認証用の画面の作成と送信との制御の手順を示すフローチャートである。
【図１８】本発明の実施の形態に係る端末において表示される会員登録画面の例を示す図である。
【図１９】本発明の実施の形態において端末に表示される概要データの例を表す図である。
【図２０】本発明の実施の形態に係る端末において表示される選択画面の例を示す図である。
【図２１】本発明の実施の形態に係る作成部が、コンテンツのＵＲＬを書き換えた状況を示す図である。
【図２２】本発明の実施の形態に係る端末において表示される配信用データの例を示す図である。
【図２３】本発明の実施の形態に係る端末において表示される個別認証用の表示の例を示す図である。
【図２４】本発明の実施の形態の変形例に係る作成部が、コンテンツのＵＲＬを削除した状況を示す図である。
【符号の説明】
１００　コンテンツ配信装置、１０２　コンテンツ提供装置、１０４　端末、１０４Ａ　表示装置、１０６　インターネット、１１２　制御部、１１４　記憶部、１１６　インターフェイス、１１８　ＣＤ駆動部、１２０　ＦＤ駆動部、１３２　判断部、１３４　要求部、１３６　作成部、１３８　配信部。
【図１】
2004139168.tif 000003
【図２】
2004139168.tif 000004
【図３】
2004139168.tif 000005
【図４】
2004139168.tif 000006
【図５】
2004139168.tif 000007
【図６】
2004139168.tif 000008
【図７】
2004139168.tif 000009
【図８】
2004139168.tif 000010
【図９】
2004139168.tif 000011
【図１０】
2004139168.tif 000012
【図１１】
2004139168.tif 000013
【図１２】
2004139168.tif 000014
【図１３】
2004139168.tif 000015
【図１４】
2004139168.tif 000016
【図１５】
2004139168.tif 000017
【図１６】
2004139168.tif 000018
【図１７】
2004139168.tif 000019
【図１８】
2004139168.tif 000020
【図１９】
2004139168.tif 000021
【図２０】
2004139168.tif 000022
【図２１】
2004139168.tif 000023
【図２２】
2004139168.tif 000024
【図２３】
2004139168.tif 000025
【図２４】
2004139168.tif 000026